(57)【要約】【課題】簡単に組み立てることができ、軽量であるにも拘わらず、十分な強度を有し、効果的に鳥類を捕獲することができる鳥類捕獲用ケージの提供。【解決手段】この鳥類捕獲用ケージＣＧは、４面の側壁用面パネル４〜７及び扉用面パネル８から成る側壁部と、３面の天井用面パネル１〜３から成る天井部で構成される。パネル２，３間に低位置で連結される中央天井用面パネル１にはカラス用の第１進入口Ｔ１〜Ｔ３が設けられ、進入口Ｔ１〜Ｔ３の下部に向かって傾斜天井用面パネル２，３から線材が突出している。側壁用面パネル４，５の第２進入口Ｔ４，Ｔ５内に設けられるトラップ機構は、ハト用／カラス用を取替え可能とすることができる。また、各面パネル１〜８には、両端に胴縁が付いたメッシュパネルが用いられ、互いに隣接する側壁用面パネル間では、一方の面パネルの胴縁と他方の面パネルの縁部線材とが連結される関係にある。【選択図】図１
2004097001.tif 000002
【特許請求の範囲】
【請求項１】
互いに対向する第１及び第２の側壁用面パネル並びに互いに対向する第３及び第４の側壁用面パネルが４角形に閉じた状態で連結されて成る側壁部と、
第１及び第２の傾斜天井用面パネルが中央天井用面パネルで連結されて成る天井部と
から成り、
各面パネルには、縦横に配列された多数の線材から成るメッシュパネルが用いられ、
第１及び第２の側壁用面パネルの最上端は、第１及び第２の傾斜天井用面パネルの外側端部に連結され、
両傾斜天井用面パネル及び中央天井用面パネルの左右両端部は、第３及び第４の側壁用面パネルに連結され、
中央天井用面パネルは、第１及び第２の側壁用面パネルの最上端より低い位置に水平に設けられ、メッシュ間隔よりも大きい第１進入口が設けられ、
両傾斜天井用面パネルは、中央天井用面パネルとの連結部から第１進入口の下側に向かって突出している線材突出部を有する
ことを特徴とする鳥類捕獲用ケージ。
【請求項２】
互いに対向する第１及び第２の側壁用面パネル並びに互いに対向する第３及び第４の側壁用面パネルが４角形に閉じた状態で連結されて成る側壁部と、
第１及び第２の傾斜天井用面パネルが中央天井用面パネルで連結されて成る天井部と
から成り、
各面パネルには、縦横に配列された多数の線材から成るメッシュパネルが用いられ、
第１及び第２の側壁用面パネルの最上端は、第１及び第２の傾斜天井用面パネルの外側端部に連結され、
両傾斜天井用面パネル及び中央天井用面パネルの左右両端部は、第３及び第４の側壁用面パネルに連結され、
中央天井用面パネルは、第１及び第２の側壁用面パネルの最上端より低い位置に水平に設けられ、
側壁用面パネルの中央上部には、メッシュ間隔よりも大きい第２進入口が設けられ、第２進入口の内側にトラップワイヤ機構が設けられる
ことを特徴とする鳥類捕獲用ケージ。
【請求項３】
互いに対向する第１及び第２の側壁用面パネル並びに互いに対向する第３及び第４の側壁用面パネルが４角形に閉じた状態で連結されて成る側壁部と、
第１及び第２の傾斜天井用面パネルが中央天井用面パネルで連結されて成る天井部と
から成り、
各面パネルには、縦横に配列された多数の線材から成るメッシュパネルが用いられ、
第１及び第２の側壁用面パネルの最上端は、第１及び第２の傾斜天井用面パネルの外側端部に連結され、
両傾斜天井用面パネル及び中央天井用面パネルの左右両端部は、第３及び第４の側壁用面パネルに連結され、
中央天井用面パネルは、第１及び第２の側壁用面パネルの最上端より低い位置に水平に設けられ、メッシュ間隔よりも大きい第１進入口が設けられ、
両傾斜天井用面パネルは、中央天井用面パネルとの連結部から第１進入口の下側に向かって突出している線材突出部を有し、
側壁用面パネルの中央上部には、メッシュ間隔よりも大きい第２進入口が設けられ、第２進入口の内側にトラップワイヤ機構が設けられる
ことを特徴とする鳥類捕獲用ケージ。
【請求項４】
第２進入口の内側に設けられるトラップワイヤ機構は、内部に向かって斜め下に突出する複数の突出線材を有する
ことを特徴とする請求項２又は３に記載の鳥類捕獲用ケージ。
【請求項５】
各面パネルには、縦方向線材の両端部の屈曲によって形成された胴縁を備えるメッシュパネルが用いられ、
互いに隣接する側壁用面パネル間では、一方の側壁用面パネルの胴縁と他方の側壁用面パネルの最外側縦方向線材とが連結される関係にある
ことを特徴とする請求項１〜４の何れか１項に記載の鳥類捕獲用ケージ。
【発明の詳細な説明】
【０００１】
【発明の属する技術分野】
この発明は、鳥類捕獲用ケージに関し、より詳細にいうと、カラス、ハトなどの比較的大形乃至中形の鳥類を捕獲するために用いられる籠形鳥舎に関する。
【０００２】
【従来の技術】
周知のように、カラス（烏／鴉）は、公園や街のゴミを散らかしたり畑を荒らし、ときには、人に害を加えることがある。また、ハト（鳩）も、工場や、駅のホーム、公園、人家のベランダなどに入り込み、快適な生活に迷惑をかけている。しかしながら、このような中形乃至比較的大形の鳥類を、簡単な仕掛けや装備を用いて効果的に捕獲することができるようにしたものは未だに出現していないように見える。
【０００３】
【発明が解決しようとする課題】
この発明は、このような事情に鑑み、籠形（ケージタイプ）の鳥舎構造を採用して、簡単に組み立てることができ、軽量であるにも拘わらず、十分な強度を有し、しかも、効果的に鳥類を捕獲することができる鳥類捕獲用ケージを提供することを目的とする。
【０００４】
【課題を解決するための手段】
この発明の第１の特徴による鳥類捕獲用ケージ（ＣＧ）は、互いに対向する第１及び第２の側壁用面パネル（４，５）並びに互いに対向する第３及び第４の側壁用面パネル（６，７）が４角形に閉じた状態で連結されて成る側壁部（４−６−５−７）と、第１及び第２の傾斜天井用面パネル（２，３）が中央天井用面パネル（１）で連結されて成る天井部（２−１−３）とから成り、各面パネルには、縦横に配列された多数の線材（ＷＨ，ＷＬ）から成るメッシュパネル（図２）が用いられ、第１及び第２の側壁用面パネル（４，５）の最上端（Ｂ４ａ，Ｂ５ａ）は、第１及び第２の傾斜天井用面パネル（２，３）の外側端部（Ｅ２ａ，Ｅ３ａ）に連結され、両傾斜天井用面パネル（２，３）及び中央天井用面パネル（１）の左右両端部（Ｂ２ａ，Ｂ３ａ，Ｅ１ａ；Ｂ２ｂ，Ｂ３ｂ，Ｅ１ｂ）は、第３及び第４の側壁用面パネル（６，７）に連結され、中央天井用面パネル（１）は、第１及び第２の側壁用面パネル（４，５）の最上端（Ｂ４ａ，Ｂ５ａ）より低い位置に水平に設けられ、メッシュ間隔（Ｈｍ，Ｌｍ）よりも大きい第１進入口（Ｔ１〜Ｔ３）が設けられ、両傾斜天井用面パネル（２，３）は、中央天井用面パネルとの連結部（ＷＨｏ）から第１進入口（Ｔ１〜Ｔ３）の下側に向かって突出している線材突出部（ＷＰ２，ＷＰ３）を有する〔請求項１〕。なお、括弧書きは、理解の便のために、後述する実施例における参照記号や箇所を付加したものであり、以下においても同様である。
【０００５】
この発明の第２の特徴による鳥類捕獲用ケージ（ＣＧ）は、互いに対向する第１及び第２の側壁用面パネル（４，５）並びに互いに対向する第３及び第４の側壁用面パネル（６，７）が４角形に閉じた状態で連結されて成る側壁部（４−６−５−７）と、第１及び第２の傾斜天井用面パネル（２，３）が中央天井用面パネル（１）で連結されて成る天井部（２−１−３）とから成り、各面パネルには、縦横に配列された多数の線材（ＷＨ，ＷＬ）から成るメッシュパネル（図２）が用いられ、第１及び第２の側壁用面パネル（４，５）の最上端（Ｂ４ａ，Ｂ５ａ）は、第１及び第２の傾斜天井用面パネル（２，３）の外側端部（Ｅ２ａ，Ｅ３ａ）に連結され、両傾斜天井用面パネル（２，３）及び中央天井用面パネル（１）の左右両端部（Ｂ２ａ，Ｂ３ａ，Ｅ１ａ；Ｂ２ｂ，Ｂ３ｂ，Ｅ１ｂ）は、第３及び第４の側壁用面パネル（６，７）に連結され、中央天井用面パネル（１）は、第１及び第２の側壁用面パネル（４，５）の最上端（Ｂ４ａ，Ｂ５ａ）より低い位置に水平に設けられ、側壁用面パネル（６，７）の中央上部には、メッシュ間隔よりも大きい第２進入口（Ｔ４，Ｔ５）が設けられ、第２進入口（Ｔ４，Ｔ５）の内側にはトラップワイヤ機構（ＷＴ）が設けられる〔請求項２〕。
【０００６】
この発明の第３の特徴による鳥類捕獲用ケージ（ＣＧ）は、互いに対向する第１及び第２の側壁用面パネル（４，５）並びに互いに対向する第３及び第４の側壁用面パネル（６，７）が４角形に閉じた状態で連結されて成る側壁部（４−６−５−７）と、第１及び第２の傾斜天井用面パネル（２，３）が中央天井用面パネル（１）で連結されて成る天井部（２−１−３）とから成り、各面パネルには、縦横に配列された多数の線材（ＷＨ，ＷＬ）から成るメッシュパネル（図２）が用いられ、第１及び第２の側壁用面パネル（４，５）の最上端（Ｂ４ａ，Ｂ５ａ）は、第１及び第２の傾斜天井用面パネル（２，３）の外側端部（Ｅ２ａ，Ｅ３ａ）に連結され、両傾斜天井用面パネル（２，３）及び中央天井用面パネル（１）の左右両端部（Ｂ２ａ，Ｂ３ａ，Ｅ１ａ；Ｂ２ｂ，Ｂ３ｂ，Ｅ１ｂ）は、第３及び第４の側壁用面パネル（６，７）に連結され、中央天井用面パネル（１）は、第１及び第２の側壁用面パネル（４，５）の最上端（Ｂ４ａ，Ｂ５ａ）より低い位置に水平に設けられ、メッシュ間隔（Ｈｍ，Ｌｍ）よりも大きい第１進入口（Ｔ１〜Ｔ３）が設けられ、両傾斜天井用面パネル（２，３）は、中央天井用面パネルとの連結部（ＷＨｏ）から第１進入口（Ｔ１〜Ｔ３）の下側に向かって突出している線材突出部（ＷＰ２，ＷＰ３）を有し、側壁用面パネル（６，７）の中央上部には、メッシュ間隔よりも大きい第２進入口（Ｔ４，Ｔ５）が設けられ、第２進入口（Ｔ４，Ｔ５）の内側にはトラップワイヤ機構（ＷＴ）が設けられる〔請求項３〕。
【０００７】
また、第２及び第３の特徴による鳥類捕獲用ケージ（ＣＧ）において、第２進入口（Ｔ４，Ｔ５）の内側に設けられるトラップワイヤ機構（ＷＴ）は、内部に向かって斜め下に突出する複数の突出線材（Ｗ４，Ｗ５）を有する〔請求項４〕
【０００８】
この発明の別の特徴によると、鳥類捕獲用ケージ（ＣＧ）は、各面パネルは、縦横に配列された多数の縦方向及び横方向線材（ＷＨ，ＷＬ）から成り、縦方向線材（ＷＨ）の両端部の屈曲によって形成された胴縁（Ｂａ，Ｂｂ）を備えるメッシュパネル（図２）が用いられ、互いに隣接する側壁用面パネル（４−６，６−５，５−７，７−４）間では、一方の側壁用面パネル（ａ）の胴縁（ＷＬａｏ）と他方の側壁用面パネル（ｂ）の最外側縦方向線材（ＷＨｂｏ）とが連結される関係にある〔請求項５〕。
【０００９】
〔作用〕
この発明では、鳥類捕獲用ケージ（ＣＧ）を構成する面パネル（１〜８）に、住宅や工場などで極く一般的に使用されているメッシュパネルを使用し、クリップなどの留め具（１１）にてメッシュパネル製面パネル（１〜８）を互いに連結して篭のように箱状に組み立てる。この際、天井部は、一対の側壁用面パネル（４，５）の上端から、他の一対の側壁用面パネル（６，７）にてこの上端より低い位置に水平に支持されている中央天井用面パネル（１）に傾斜天井用面パネル（２，３）が傾斜して設けられる。このように、天井部が中央に向けて勾配を付けられていると、カラスやハトなどの鳥類は、傾斜天井用面パネル（２，３）の勾配のある高い方に飛び上がる習性により、中央天井の近傍には近づくことはなく、従って、中央天井用面パネル（１）の中央に設けられた第１進入口（Ｔ１〜Ｔ３）、或いは、側壁用面パネル（６，７）の中央上部に設けられた第２進入口（Ｔ４，Ｔ５）には、寄りつくことができない。
【００１０】
また、仮に鳥類が第１進入口（Ｔ１〜Ｔ３）或いは第２進入口（Ｔ４，Ｔ５）に寄りつくことができたとしても、第１進入口（Ｔ１〜Ｔ３）に向けて傾斜天井用面パネル（２，３）から線材（ＷＰ２，ＷＰ３）が突出しており、或いは、第２進入口（Ｔ４，Ｔ５）にトラップワイヤ機構が設けられているので、これらの鳥類は第１進入口（Ｔ１〜Ｔ３）或いは第２進入口（Ｔ４，Ｔ５）から脱出することができない。従って、この発明によると、簡単なケージ構造にも拘わらず、カラスやハトなどの効果的に鳥類を捕獲することができる。
【００１１】
この発明の鳥類捕獲用ケージ（ＣＧ）では、進入口に鳥類のトラップ機構が設けられ、進入口から鳥類が出ないように工夫されている。例えば、中央天井用面パネル（１）の中央に設けられる第１進入口（Ｔ１〜Ｔ３）については、傾斜天井用面パネル（２，３）から進入口下部に向かって線材突出部（ＷＰ２，ＷＰ３）が斜め下方向に突出しているので、第１進入口（Ｔ１〜Ｔ３）から鳥類が飛び出すことはない。特に、カラスは、足の踏張りが必要でぶらさがることが苦手の鳥であり、天井の傾斜構造だけでも、第１進入口（Ｔ１〜Ｔ３）からの脱出は難しいが、さらに、進入口両端の下部で斜め下に向いた線材突出部（ＷＰ２，ＷＰ３）は、カラスが脱出のために第１進入口（Ｔ１〜Ｔ３）に向かって飛び立つ足場を与えずしかも飛翔の障害となるので、ケージ内からの飛出し防止機能を更に向上させる。
【００１２】
また、側壁用面パネル（６，７）には、トラップワイヤ機構（ＷＴ）を内部に備えた第２進入口（Ｔ４，Ｔ５）が設けられるので、カラスは勿論、ハトなどの中形の鳥類に対して、ケージ内からの飛出しを防止することができる。さらに、第２進入口（Ｔ４，Ｔ５）の内側に設けられるトラップワイヤ機構（ＷＴ）は、内部に向かって斜め下に突出する複数の突出線材（Ｗ４，Ｗ５）を有するので、カラスなどの比較的大形の鳥類を、第２進入口（Ｔ４，Ｔ５）から自由に進入させた上、この突出線材（Ｗ４，Ｗ５）の脱出防止機能により効果的にケージ内に捕獲することができる。
【００１３】
さらに、この発明によると、面パネル（１〜８）は、全てメッシュパネルで作製（製作）されているので、適宜の留め具により簡単に組み立てることができるだけでなく、極めて軽量であり、持ち運びすることができる。メッシュパネルの横方向の両縁には“胴縁”又は“カール”と呼ばれる屈曲部が形成されているが、この発明では、この胴縁（カール）をうまく配置して支柱乃至梁の役目をもたせるようにしているので、従来のフレームを用いる鳥舎ケージに比較しても、十分な強度が得られ而も極めて低コストで作製することができる。また、メッシュパネルは、ハイテンションの鉄線に樹脂塗装が施されているので、力学的な強度や環境に対する耐性において優れている上、色彩が豊富なので、任意のカラフルなケージが得られ、公園や工場において違和感なく利用することができる。
【００１４】
なお、この発明の鳥類捕獲用ケージ（ＣＧ）においては、側壁用面パネル（６，７）の外側には、第２進入口（Ｔ４，Ｔ５）の下端に板状部材（９，１０）を垂直乃至水平間で回動可能となるように設置しておくことにより、第２進入口（Ｔ４，Ｔ５）からの進入を容易にすることができる。また、側壁用面パネル（４）は、扉嵌込み部分（ＤＲ）を切除しておき、この扉嵌込み部分（ＤＲ）に開閉自在の扉用面パネル（８）を設けることにより、メッシュパネル製扉用面パネル（８）を側壁用面パネル（４）に簡単に取り付けることができ、ユーザは、容易に、この扉用面パネル（８）を開けてケージ内部に入ることができる。
【００１５】
【発明の実施の形態】
以下、図面を参照しつつ、この発明の好適な実施例を詳述する。なお、以下の実施例は単なる一例であって、この発明の精神を逸脱しない範囲で種々の構成変更が可能である。
【００１６】
〔ケージ構造の概略〕
図１は、この発明の一実施例による鳥類捕獲用ケージの全体斜視図を示す。ここで、図１を用いてこの鳥類捕獲用ケージＣＧを簡単に説明しておく。このケージＣＧは、主として、中央天井用面パネル１及び傾斜天井用面パネル２，３という３面の天井用面パネル１〜３により天井部が構成され、４面の側壁用面パネル４〜７により側壁部が構成される。傾斜天井用面パネル２，３間に連結されて低い位置にある水平な中央天井用面パネル１には、カラス用の第１進入口Ｔ１〜Ｔ３を中央部に設けることができ、傾斜天井用面パネル２，３から進入口Ｔ１〜Ｔ３の下部に向かって線材（ＷＰ２，ＷＰ３）が突出している。側壁用面パネル４，５には第２進入口Ｔ４，Ｔ５を設けることができ、第２進入口Ｔ４，Ｔ５内にはハト用／カラス用のトラップ機構（ＷＴ）が設けられる。カラス用トラップ機構（ＷＴ）では突出線材（Ｗ４，Ｗ５）が付設され、また、ハト用／カラス用を取替え可能とすることもできる。また、各面パネル１〜８には、両端に胴縁が付いたメッシュパネルを用いることができ、この場合、互いに隣接する側壁用面パネル間では、一方の面パネルの胴縁と他方の面パネルの縁部線材とが連結される関係にある。
【００１７】
図１以下に示す実施例では、これらの面パネルを１枚のパネル部材で構成した場合について説明する。すなわち、実施例の鳥類捕獲用ケージＣＧでは、上平面パネル部材１、前斜面及び後斜面パネル部材２，３、前面及び後面パネル部材４，５、並びに、左側面及び右側面パネル部材６，７により、主たる面パネルが構成される。また、前面パネル部材４には、開閉自在の扉パネル部材８が設けられる。
【００１８】
鳥類捕獲用ケージＣＧを構成するこれらの面パネル（パネル部材）は、全て、鉄線製網状体で作成されている。このように、この鳥類捕獲用ケージＣＧは、特に、柱や、梁、枠組みなどの骨格部に専用の骨格部材（鉄骨・アングルなど）を用いることなく、鉄線製網状体（ハイテンション針金製溶接金網）で作成された面パネル（パネル部材）１〜８のみでケージを構成することにより、ケージ構体の軽量化を図っている点が一つの大きな特徴になっている。
【００１９】
さて、図１の鳥類捕獲用ケージＣＧでは、上平面パネル部材１の中間部には、“第１進入口”と呼ばれる３つの上面進入（侵入）口Ｔ１〜Ｔ３が形成される。さらに、左右の両側面パネル部材６，７の上部中央には、それぞれ、“第２進入口”と呼ばれる２つの側面進入（侵入）口Ｔ４，Ｔ５が形成されると共に、第２進入口Ｔ４，Ｔ５の内側には中形鳥類用トラップ機構が設けられ、外側には開閉式板状部材９，１０が付設される。各開閉式板状部材９，１０には、例えば、木製の板が用いられるが、プラスチック製や金属製の平板など他の板状体を用いて、設置環境に対する耐性をもっと上げるようにしてもよい。
【００２０】
各開閉式板状部材９，１０は、第２進入口Ｔ４，Ｔ５の下端になる各側面パネル部材６，７の縦方向線材ＷＨ（ケージＣＧの正常な設置状態では水平に延びている）に蝶番などで回動可能に取り付けられる。進入口Ｔ４，Ｔ５の使用時には、板状部材９，１０を水平状態に保持してハトなどが部材９，１０上に飛び載って進入口Ｔ４，Ｔ５に入り易くする。また、ハトなどを捕獲する必要がない場合（不使用時）には、板状部材９，１０を垂直状態に固定して進入口Ｔ４，Ｔ５を閉鎖し、進入防止を図る。なお、図示の例では、板状部材９，１０の水平状態を維持するのにチェーン（鎖）などの吊り線を用い、不使用時には吊り線で上側に巻き上げるようにしているが、下部の側面パネル部材６，７から棒状材で支えるようにし、不要時には別の固定具で進入口Ｔ４，Ｔ５の閉鎖状態を保つようにするなど、適宜の支持方法を採用することができる。
【００２１】
なお、この鳥類捕獲用ケージＣＧのパネル部材１〜８には、上述のように、鉄線製網状体が用いられるので、視点からみて後部に位置するパネル部材などは、実際には、前部のパネル部材の鉄線材の網目（メッシュ）や進入口Ｔ１〜Ｔ５を通して透視される。しかしながら、図１では、組立て構造を明瞭に表わすため、前部に位置している上平面パネル部材１、上斜面パネル部材２，３、前面パネル部材４、右側面パネル部材７、右側侵入口Ｔ５及び右側板状部材１０のみが示され、背後に位置する後面パネル部材５及び左側面パネル部材６などについては、図示を省略している。
【００２２】
図２は、この発明の一実施例による鳥類捕獲用ケージの組立てに用いられるメッシュパネルの構造例を示す。鳥類捕獲用ケージＣＧを構成するパネル部材１〜８は、“メッシュパネル”と呼ばれる鉄線製網状体を素材にして作成される。このメッシュパネルは、図２（１）に示すように、縦横に配列された直径４．０〜４．５ｍｍ（ミリメートル）程度の直線状高張力鉄線ＷＬ，ＷＨを交点ＣＰで互いに溶接して格子状のメッシュ（網目）ＭＳを形成し、更に、メッシュが形成された構体に対して全体にわたり樹脂塗装を施したものである。また、メッシュパネルの対向する２辺の端部には、縦方向線材ＷＨのリング部と当該リング部に接合している横方向線材ＷＬ（特に記号“ＷＬｏ”用いることがある）により構成される筒状の胴体部Ｂａ，Ｂｂが形成されており、これは“胴縁（ドウブチ）”（或いは“カール”）と呼ばれる。
【００２３】
以下のパネル自体に関する説明においては、胴縁Ｂａ，Ｂｂに向かう方向〔図２（１）では上下方向〕を幅方向又は縦方向と呼び、これに直交する方向〔図２（１）では左右方向〕を長さ方向又は横方向と呼ぶ。また、縦方向の端部である胴縁Ｂａ，Ｂｂに対して、横方向の端部を“端縁”（主たる参照記号として“Ｅａ，Ｅｂ”を使用）と呼ぶものとする。そして、パネル全体のサイズについては、幅方向（縦方向）の最外側縁間の長さを縦サイズＨｐと呼び、長さ方向（横方向）の最外側縁間の長さを横サイズＬｐと呼ぶものとする。
【００２４】
なお、図２（１）の上段は、縦方向線材ＷＨによる胴縁Ｂａ，Ｂｂの外側に横方向線材ＷＬが接合されたＡタイプのメッシュパネルを示し、下段は、胴縁Ｂａ，Ｂｂの内側に横方向線材ＷＬが接合されたＢタイプのメッシュパネルを示す。図２（１）最右側に示すように、胴縁Ｂａ，Ｂｂにおける横方向線材ＷＬは、Ａタイプのメッシュパネルでは、縦方向線材ＷＨのリング部の外側に取り付けられ、Ｂタイプではリング部の内側を走る。何れをケージＣＧのパネル部材に用いるかは、構造上や美観上の観点から必要に応じて任意のタイプを採用することができる。
【００２５】
Ａ，Ｂ両タイプ共、メッシュ形状が縦方向に長い図示左側の縦長タイプと、横方向に長い図示右側の横長タイプとがあり、必要に応じて何れかのメッシュ形状をケージパネルに採用する。もちろん、正方形のメッシュ形状（図示せず）を用いてもよい。また、胴縁Ｂａ，Ｂｂの屈曲形状については、図示の例では、縦方向線材ＷＨが円弧状に屈曲されて円筒状になっているが、横方向〔図２（１）最右側〕からみて三角形に屈曲した三角筒状でもよいし、それ以上の多角形の筒状でもよい。
【００２６】
さらに、メッシュサイズについては、図２（２）に示されるように、“メッシュパネル”の長さ方向（横方向）に沿って配列される横方向線材ＷＬの幅方向（縦方向）の配置間隔ＨｍをメッシュＭＳの縦サイズと呼び、幅方向（縦方向）に沿って配列される縦方向線材ＷＨの長さ方向（横方向）の配置間隔ＬｍをメッシュＭＳの横サイズと呼ぶものとする。
【００２７】
胴縁Ｂａ，Ｂｂは、パネルを横方向から見た断面構造を示す図２（１）の各右側部分に示されるように、縦方向の線材ＷＨの両端がほぼリング状（環状）に屈曲されており、全体としては、横方向に伸びる筒状体（例えば、直径５２ｍｍ）に見える。胴縁Ｂａ，Ｂｂには、縦方向線材ＷＨのリング部に直交して接合する複数本の直線状線材ＷＬが横方向に走っており、横方向線材ＷＬの配置間隔（メッシュ縦寸法Ｈｍ）は、胴縁部Ｂａ，Ｂｂ間の平板部での配置間隔Ｈｍに比べて小さくなっており、これによって、胴縁部Ｂａ，Ｂｂでのパネル強度が高められている。
【００２８】
鳥類捕獲用ケージＣＧを作成するには、図２（１）に示されるような構造をした適宜寸法の“メッシュパネル”から、図３及び図４に示すように、上平面パネル部材１、前斜面及び後斜面パネル部材２，３、前面及び後面パネル部材４，５、左側面及び右側面パネル部材６，７並びに扉パネル部材８を作成し、これらのパネル部材１〜８を適宜の留め具で連結して、図１に示されるように組み立てる。ただし、この作成に当っては、力学的に重要な役割を担う骨格的な箇所においては、支障がない限り、隣接するパネル部材間で“メッシュパネル”の向きが交互に変るように連結させて（胴縁と端縁を結合し胴縁同士又は端縁同士を結合しない）、強度を保持するように形状・寸法を決定して組み立てることが肝要である。
【００２９】
〔各パネル部材〕
図３及び図４は、この発明の一実施例による鳥類捕獲用ケージを構成する各パネル部材の構成例の一部である。以下、図１に例示されるケージＣＧを作成する場合の各パネル部材１〜８のパネル形状の具体例について、図３及び図４に従って説明しよう。なお、以下の各パネル部材１〜８の説明において使用される数値は、一例であって、必要に応じて任意に変更することができる。
【００３０】
まず、上平面パネル部材１を作製するには、図３（２）に示すように、全幅（縦）４５０ｍｍ（ミリメートル）・長さ（横）１４４８ｍｍで、胴縁Ｂ１ａ〜Ｂ１ｂ間におけるメッシュサイズが縦（幅方向）５０ｍｍ×横（長さ方向）１００ｍｍ〔横長メッシュ：図２（１）各右側〕のメッシュパネルを用意する。このパネルは、両胴縁Ｂ１ａ，Ｂ１ｂの両端が２６ｍｍずつ切除されており、パネルの端縁Ｅ１ａ，Ｅ１ｂとなる横方向線材ＷＬの両端には縦方向線材ＷＨｏが追加的に接合（溶接）され、この縦方向線材ＷＨｏによって、側面パネル６，７の端縁（Ｅ６ａ１，Ｅ７ａ１）と結合させるための補強部Ｓｔが形成される。なお、記号“ＷＨｏ”は、この明細書及び図面で、一般的に、パネル部材端縁の最外側にある縦方向線材又は斜め方向線材を表わし、次に説明する図３（１），（３）を除いて図示されていない。
【００３１】
さらに、このパネルの中央部及びその両横方向の所定位置にある線材ＷＨ，ＷＬを切断して、縦２００ｍｍ×横２００ｍｍの３つの開口部Ｔ１〜Ｔ３を設けることにより、上平面パネル部材１が得られる。これらの開口部Ｔ１〜Ｔ３は、横方向に互いに２００ｍｍずつ離れた位置にあって、主としてカラス（烏、鴉）を進入させるための第１進入口（上面進入口）として機能する。
【００３２】
上斜面パネル部材２，３については、図３（１），（３）に示すように、全外形が全幅（縦）１５００ｍｍ・長さ（横）９５５ｍｍであって、各胴縁Ｂ２ａ〜Ｂ２ｂ，Ｂ３ａ〜Ｂ３ｂ間におけるメッシュサイズが縦（幅方向）１００ｍｍ×横（長さ方向）５０ｍｍ〔縦長メッシュ：図２（１）各左側〕のメッシュパネルが用意される。ただし、このパネルの横方向の一方の端縁Ｅ２ａ，Ｅ３ａは、特に加工されていない平端縁であるが、他方の端縁Ｅ２ｂ，Ｅ３ｂは、横方向に１２５ｍｍの部分にわたって、図示のように、横方向線材ＷＬのみが存在し、両胴縁Ｂ１，Ｂ２及び縦方向線材ＷＨが欠如した櫛歯状を呈している。つまり、各パネル部材２，３は、逆にいえば、縦１５００ｍｍ・横８３０ｍｍのメッシュパネルから長さ１２５ｍｍの横方向線材ＷＬが突出しているように見える。この線材が突出した部分は“線材突出部ＷＰ２，ＷＰ３”で図示されている。
【００３３】
前面パネル部材４の作製には、図３（５）に示すように、全幅（縦）１８００ｍｍ・長さ（横）１４１２ｍｍであって、胴縁Ｂ４ａ〜Ｂ４ｂ間におけるメッシュサイズが縦（幅方向）５０ｍｍ×横（長さ方向）１００ｍｍ〔横長メッシュ〕のメッシュパネルを用いる。このパネルは、両胴縁Ｂ４ａ，Ｂ４ｂの両端が１２ｍｍずつ切除されており、さらに、一角において、幅５０ｍｍの端縁Ｅ４ａの部分及び胴縁Ｂ４ｂだけを残して、扉パネル部材８の大きさに相当するサイズ＝縦１１４４ｍｍ×横５９６ｍｍの扉嵌込み部分ＤＲが切除されている。
【００３４】
なお、前面パネル部材４の素材となるメッシュパネルには、図３（５）に示されるように、削除される扉嵌込み部分ＤＲの周囲部分のメッシュＭＳのサイズを小さくした補強部Ｓｔを設けて、扉嵌込み部分ＤＲの切除によるパネル強度の低下を補うようにすることが好ましい。図３（５）の例では、扉嵌込み部分ＤＲの上端及び左右端位置の近傍で、それぞれ、横方向線材ＷＬ及び縦方向線材ＷＨを追加してメッシュ縦及び横寸法を何れも２５ｍｍにして補強部Ｓｔを形成している。
【００３５】
後面パネル部材５は、図４（２）に示すように、前面パネル部材４の作製に用いたパネルと同様に、全幅（縦）１８００ｍｍ・長さ（横）１４１２ｍｍであって、胴縁Ｂ５ａ〜Ｂ５ｂ間におけるメッシュサイズが縦（幅方向）５０ｍｍ×横（長さ方向）１００ｍｍ〔横長メッシュ〕のメッシュパネルが用いられ、両胴縁Ｂ５ａ，Ｂ５ｂの両端が１２ｍｍずつ切除されている。
【００３６】
なお、図４（２）の例では、全面にわたって均一メッシュのパネルとしているが、前面パネル部材４と同様に、パネルの必要な中間部に必要な本数の縦及び横方向線材ＷＨ，ＷＬを追加して補強してもよい。このように強度を必要とするメッシュパネルの中央部に線材を追加的に強化すると、歪みやたわみがない面パネルを得ることができる。このような補強方法は、他の面パネルにも適用することができる。
【００３７】
図４（１），（３）に示される左側面及び右側面パネル部材６，７には、全幅（縦）１８００ｍｍ・長さ（横）１７５２ｍｍであって、各胴縁Ｂ６ａ〜Ｂ６ｂ；Ｂ７ａ〜Ｂ７ｂ間におけるメッシュサイズが縦（幅方向）１００ｍｍ×横（長さ方向）５０ｍｍ〔縦長メッシュ〕の２枚のメッシュパネルが用いられる。各パネルは、それぞれ、長さ方向（横方向）の一端縁Ｅ６ａ，Ｅ７ａ側から、下辺１７５２ｍｍ・上辺５００ｍｍ・高さ３５０ｍｍの対称形の台形部分を切除する。
【００３８】
従って、切除された側の各端縁Ｅ６ａ，Ｅ７ａは、２つの斜辺Ｅ６ａ２，Ｅ６ａ３；Ｅ７ａ２，Ｅ７ａ３とその中間の上辺（以下、“水平辺”という。）Ｅ６ａ１；Ｅ７ａ１から成る折れ線状を呈し、各斜辺Ｅ６ａ２，Ｅ６ａ３；Ｅ７ａ２，Ｅ７ａ３は、斜面パネル部材２，３の胴縁Ｂ２ａ，Ｂ３ａ；Ｂ２ｂ，Ｂ３ｂに対応し、水平辺Ｅ６ａ１，Ｅ７ａ１は、上平面パネル部材１の補強部Ｓｔの縦方向線材ＷＨに対応する。また、両側面パネル部材６，７には、図示のように、端縁Ｅ６，Ｅ７の斜辺Ｅ６ａ２，Ｅ６ａ３；Ｅ７ａ２，Ｅ７ａ３に沿って斜め方向に走る補強用線材ＷＨｏが追加的に接合されており、これらの補強用線材ＷＨｏによって、それぞれ、斜面パネル部材２，３の胴縁Ｂ２ａ，Ｂ３ａ；Ｂ２ｂ，Ｂ３ｂと結合させるための補強部Ｓｔが形成される。
【００３９】
なお、両側面パネル部材６，７の長さ方向（横方向）の他側の端縁Ｅ６ｂ，Ｅ７ｂは加工されておらず直線状である。この直線状端縁Ｅ６ｂ，Ｅ７ｂは、ケージＣＧの最下部に位置するので、その近傍には、図４（１），（３）の下部に示されるように、縦方向線材ＷＨを追加してメッシュサイズを密にした補強部Ｓｔを形成しておき、強度を持たせることが好ましい。
【００４０】
台形部分が切除された各パネル片６，７の胴縁Ｂ６ａ〜Ｂ６ｂ；Ｂ７ａ〜Ｂ７ｂ間の中央部には、さらに、折れ線状端縁Ｅ６ａ，Ｅ７ａの水平辺Ｅ６ａ１，Ｅ７ａ１から距離１００ｍｍ離れたところを矩形に切除し、縦５００ｍｍ・横１５０ｍｍのサイズの開口部Ｔ４，Ｔ５を設ける。各開口部Ｔ４，Ｔ５は、主としてハト（鳩）を進入させるための第２進入口（側面進入口）に用いられる。このため、後述するように、ケージ組立ての際に、各開口部Ｔ４，Ｔ５の内部側には線材製のトラップ機構（ＷＴ）が設けられ、さらに、下端の外部側には開閉式板状部材９，１０が取り付けられる。
【００４１】
扉パネル部材８は、図３（４）に示すように、全幅（縦）５９０ｍｍ・長さ（横）１１３０ｍｍであって、両胴縁間におけるメッシュサイズが縦（幅方向）１００ｍｍ×横（長さ方向）５０ｍｍ〔縦長メッシュ〕のメッシュパネルを用いて作製される。
【００４２】
〔ケージの組立て〕
上述したパネル部材１〜８は、メッシュパネルを用いているので、クリップなどの単純構造の留め具を用いて必要箇所を互いに結合することによって、簡単にケージＣＧに組み上げることができる。ケージの組立て方法の一例を紹介すると、以下のとおりである。
【００４３】
まず、一方の側面パネル部材６〔図４（１）〕の一方の胴縁Ｂ６ｂに対して、後面パネル部材５〔図４（２）〕の一方の端縁Ｅ５ａ（最外側）の縦方向線材ＷＨｏ〔記号“ＷＨｏ”は図示せず（以下、同様）〕を、上下２箇所にて留め具で緩やかに結合して仮留めする。続いて、他方の側面パネル部材７〔図４（３）〕を、側面パネル部材６と端縁の向きを合わせて〔図４に示すように、両パネル部材６，７の折れ線状端縁Ｅ６ａ（Ｅ６ａ２−Ｅ６ａ１−Ｅ６ａ３），Ｅ７ａ（Ｅ７ａ２−Ｅ７ａ１−Ｅ７ａ３）〕の一方の胴縁Ｂ７ｂに対して、同様に、後面パネル部材５の他方の端縁Ｅ５ｂ（最外側）の縦方向線材ＷＨｏを緩やかに結合して仮留めする。
【００４４】
この仮留めによって、３枚のパネル部材５，６，７は、後面パネル部材５の両端縁Ｅ５ａ，Ｅ５ｂと両側面パネル部材６，７の一方の胴縁Ｂ６ｂ，Ｂ７ｂとが結合し、両側面パネル部材６，７の直線状端縁Ｅ６ｂ，Ｅ７ｂが下に位置するように連結される。つまり、上方から見て“コ”の字状を呈するように連結された３パネル連結体６−５−７が得られる。
【００４５】
次いで、前面パネル部材４〔図３（５）〕を、扉嵌込み部分ＤＲ側の胴縁Ｂ４ｂを下側に位置するように起立させ、“コ”字状の３パネル連結体６−５−７の側面パネル部材６，７における他方の胴縁Ｂ６ｂ，Ｂ７ｂに対して、両端縁Ｅ４ａ，Ｅ４ｂ（各最外側）の縦方向線材ＷＨｏを上下２箇所で緩やかに結合して仮留めする。これにより、４つのパネル部材４〜７が、上方から見て“口”の字状を呈するように閉連結され、ケージＣＧの側壁部となる４パネル閉連結体４−６−５−７が得られる。
【００４６】
次に、“口”字状の４パネル閉連結体４−６−５−７に対して、上方から、天井部を取り付ける作業に入る。この作業では、まず、４パネル閉連結体４−６−５−７の上部に上面パネル部材１〔図３（２）〕を配置し、上面パネル部材１の端縁Ｅ１ａ，Ｅ１ｂにおける補強部Ｓｔの縦方向線材ＷＨｏと、側面パネル６，７の水平辺の端縁Ｅ６ａ１，Ｅ７ａ１の縦方向線材ＷＨｏとを仮留めする。
【００４７】
続いて、仮留めされた上面パネル部材１の一方の胴縁Ｂ１ａに前斜面パネル部材２〔図３（１）〕の櫛歯状端縁Ｅ２ｂ側の線材突出部ＷＰ２を差し込みつつ、平端縁Ｅ２ａを前面パネル部材４の上側胴縁Ｂ４ａの位置に合わせる。それから、前斜面パネル部材２の平端縁Ｅ２ａを前面パネル部材４の上側胴縁Ｂ４ａに仮留めして左右２箇所で緩やかに結合し、前斜面パネル部材２の最も櫛歯状端縁Ｅ２ｂ側にある縦方向線材ＷＨｏを上面パネル部材１の胴縁Ｂ１ａに左右２箇所で緩やかに結合する。
【００４８】
後斜面パネル部材３〔図３（３）〕についても、同様に、上面パネル部材１の他方の胴縁Ｂ１ｂに後斜面パネル部材３の櫛歯状端縁Ｅ３ｂ側の線材突出部ＷＰ３を差し込みつつ、平端縁Ｅ３ａを後面パネル部材５の上側胴縁Ｂ５ａの位置に合わせる。それから、後斜面パネル部材３の平端縁Ｅ３ａを後面パネル部材５の上側胴縁Ｂ５ａに仮留めして左右２箇所で緩やかに結合し、後斜面パネル部材３の最も櫛歯状端縁Ｅ３ｂ側にある縦方向線材ＷＨｏを上面パネル部材１の胴縁Ｂ１ｂに左右２箇所で緩やかに仮留めする。
【００４９】
続いて、仮留めされた前面及び後面パネル部材４，５の胴縁Ｂ２ａ，Ｂ２ｂ；Ｂ３ａ，Ｂ３ｂを、側面パネル部材６，７の折れ線状端縁Ｅ６ａ２，Ｅ７ａ２；Ｅ６ａ３，Ｅ７ａ３における補強部Ｓｔの補強用斜め方向線材ＷＨｏに仮留めして傾斜状態を保持する。これによって、３つのパネル部材１〜３が仮留めにより連結された天井部の傾斜部分２，３が側面パネル部材６，７にも結合される。つまり、側壁部４〜７に天井部１〜３が連結されて、図１に示されるケージ形状に近いケージ構体が得られる。
【００５０】
次に、このケージ構体について、側壁部をなす４パネル閉連結体４−６−５−７が全体の水平性を保ち且つ各パネル部材４〜７間相互の直角性を保つように、また、天井部をなす３つのパネル部材１〜３が整列するように、全体形状を整えつつ、各パネル１〜７間の相互連結部〔胴縁（Ｂａ，Ｂｂ）と縦方向線材ＷＨｏ、或いは、縦方向線材ＷＨｏ同士を結合している部分〕における結合の緊張度を上げていく。この場合、仮留め状態の留め具に加えて、更に必要個数の留め具を、相互連結部の必要な箇所に追加して取り付ける。
【００５１】
そして、ケージ構体の全体の整形状態を確認して、全留め具の最終的な締付けによりパネル間相互の連結作業が完了すると、パネル部材１〜７から成るケージ構体の形状は、図１の状態に固定される。その後、側面パネル部材６，７の進入口Ｔ４，Ｔ５に対して、内側にトラップ機構（ＷＴ）を取り付け、外側に開閉式板状部材９，１０（例えば、縦５００ｍｍ×横３００ｍｍ×厚さ２０ｍｍ）を取り付ける。
【００５２】
形状固定されたケージ構体１〜７の前面パネル部材４の扉嵌込み部分ＤＲをユーザの出入り口として利用し、扉パネル部材８〔図３（４）〕をユーザにより開閉自在な扉として利用するために、最後に、扉パネル部材８を扉嵌込み部分ＤＲに取り付ける。つまり、前面パネル部材４の端縁Ｅ４ａの補強部Ｓｔにおける扉嵌込み部分ＤＲ側の縦方向線材ＷＨ（扉の支柱になる）に扉パネル部材８の一方の胴縁Ｂ８ａを留め具にて回動自在に取り付け、前面パネル部材４の中央補強部Ｓｔにおける扉嵌込み部分ＤＲ側の縦方向線材ＷＨに対して、扉パネル部材８の他方の胴縁Ｂ８ｂを取外し可能な係合具にて結合する。
【００５３】
〔パネル部材間の連結〕
この発明の一実施例による鳥類捕獲用ケージでは、上述したように、メッシュパネルを用いたパネル部材１〜８の必要箇所を留め具で互いに結合して簡単に組み立てられる。図５によって、この発明の一実施例によるパネル部材間の連結態様をより詳しく説明する。パネル部材間の基本的な連結には、図５（１）に示すように、一方のパネル部材ａの胴縁（Ｂ）と、他方のパネル部材ｂの最も外側の縦方向線材（ＷＨｏ）をバンド形の留め具１１で締め付ける方法が用いられる。
【００５４】
図５（１）において、左上は、パネル部材ａ，ｂの横方向からみた結合部分の横断面図であり、最も右側の各段は留め具１１の種々の例を示し、中央の各段は、各例の留め具１１ａ〜１１ｅでパネル部材ａの胴縁部の横方向線材ＷＬａｏとパネル部材ｂの最外側縦方向線材ＷＨｂｏを結合した場合の横断面図である。また、左下は、留め具１１ａ，１１ｄで結合した場合にパネル部材ｂの面方向からみた結合部分を表わし、図示のように、パネル部材ｂの横方向線材ＷＬｂをパネル部材ａの縦方向線材ＷＨａの胴縁部に接触させると、両パネル部材ａ，ｂ間の位置合わせや留め具１１による連結作業がやり易い。なお、図５（１）では、一方の面パネル部材ａにＢタイプ〔図２（１）上段〕のメッシュパネルを用いた例を示しているが、Ａタイプに用いてもよいことは勿論である。
【００５５】
図５（１）右側最上段に示す留め具（Ａ）１１ａは、鋼鉄製線材から成る２つの挟持片をボルトとナットで締め付けるようにしたもので、通常、“クリップ”と呼ばれ、対象物を極めて強力に固定することができる。各挟持片は、円柱状の取付け対象を通すための半円部と締付け用の直線部から成る２本の鋼線がループ状に接続されたものであり、半円部の凹部が内側となるように、両挟持片の半円部側ループ端（左端）が互いに連結されている。使用に当っては、図５（１）の中央最上段や左下に示すように、両挟持片の半円部間に取付け対象ＷＬａｏ，ＷＨｂｏを挟み込み、直線部のループにボルトを挿通させてナットで両直線部間を締め付ける。なお、留め具（Ａ）１１ａには、図示のように鋼鉄製線材をループさせたものでなく、後述する留め具（Ｆ）１１ｆのように鋼鉄製帯材を用いてもよい。
【００５６】
図５（１）右側第２〜４段に示す各留め具は「結束バンド」と呼ばれており、簡単な操作でパネル部材間の必要部分を連結することができる。まず、第２段の留め具（Ｂ）１１ｂは、合成樹脂製バンドの一方（左側）の端部に複数（例えば、２個）の球状の突起が設けられ、他方（右側）の端部には、この突起間隔と同間隔で突起数以上の穴が配列されたものである。使用に当っては、図５（１）中央第２段に示すように、突起を外側にして留め具（Ｂ）１１ｂにて、取付け対象ＷＬａｏ，ＷＨｂｏを巻き込んで締め付けた上、各突起を穴に挿入する。
【００５７】
次に、図５（１）右側第３段に示す留め具（Ｃ）１１ｃは、合成樹脂製バンドの一方（左側）端に、広い幅（外＜左＞側）の開口と狭い幅（内＜右＞側）の開口が連続して設けられた２段階の挿入口を備えるバンド挿入部が成型されており、他方（右側）の端部の両側には多数の係合歯が形成されたものである。使用に当っては、図５（１）中央第３段に示すように、留め具（Ｃ）１１ｃで取付け対象ＷＬａｏ，ＷＨｂｏを巻き込んで、バンド挿入口の幅広部分に留め具バンドを他端側から挿入して締め付けた上、幅狭部分側にバンドを移せば、バンド他端部の係合歯が挿入口の幅狭部分にしっかりと係合する。
【００５８】
また、図５（１）右側第４段に示す留め具（Ｄ）１１ｄは、留め具（Ｃ）１１ｃと同様、合成樹脂製バンドの一方（左側）端にバンド挿入部を成型し、他方（右側）の端部に多数の係合歯を形成したものであるが、係合歯がバンド面上に形成されており、厚く成型されたバンド挿入部の挿入口の内部には、係合歯に合わせて戻り防止用の歯が形成されている。また、挿入口における歯の山と対向面との間隔は、バンドの最大厚さ（係合歯の山の部分での厚さ）より小さくなっており、挿入口に一旦バンドが挿入されるとバンドを戻すことができないようになっている。使用に当っては、図５（１）中央第４段や左下に示すように、留め具（Ｄ）１１ｄで取付け対象ＷＬａｏ，ＷＨｂｏを巻き込んで、バンド挿入口に留め具バンドを他端側から圧入して締め付けると、留め具バンドの係合歯がバンド挿入口の歯に対して戻り不能な状態でしっかりと係合する。
【００５９】
図５（１）右側第５段に示す留め具（Ｅ）１１ｅは、針金のような通常の金属製ワイヤで作製される。使用に当っては、図５（１）中央第５段に示すように、所定長の留め具（Ｅ）１１ｅで取付け対象ＷＬａｏ，ＷＨｂｏを巻き込んで、両端を結べばよい。
【００６０】
図５（１）のように胴縁と線材を結合する基本連結方法によると、パネル部材ａの胴縁（Ｂ）を横方向に走る複数の横方向線材ＷＬａｏが、バンド形留め具１１に巻き込まれるパネル部材ｂの最外側縦方向線材ＷＨｂｏに対して、弾力性のある支柱として機能するので、最適な締付け及び結合効果を容易に得ることができる。従って、例えば、留め具１１として最も単純な金属製ワイヤ１１ｅを用いても、パネル部材間を十分な強度をもって連結させることができる。
【００６１】
この発明の一実施例による鳥類捕獲用ケージでは、図５（２）に示す第２の方法を用いてパネル部材の線材同士を結合させることができる。例えば、図５（１）のようにパネル部材ｂの縦方向線材ＷＨｂｏに対してパネル部材ａの胴縁を結合する場合に、胴縁内の１本の横方向線材ＷＬａｏだけを線材ＷＨｂｏに結合させることがある。また、ケージＣＧの屋根が３つのパネル部材１〜３で構成されるので、全てのパネル部材に図５（１）に示す基本連結方法を適用することができないことから、上面パネル部材１と側面パネル部材６，７との間のように、パネル部材の線材同士を結合させなければならない場合もある。さらに、場合によっては、胴縁の縦方向線材同士を結合しなければならないこともある。このような場合には、連結される２つのパネル部材ａ，ｂの最も外側の縦方向線材ＷＨａｏ，ＷＨｂｏ同士をバンド形の留め具１１で締め付ける。
【００６２】
図５（２）において、最も右側の各段は、第２の方法を適用する場合に使用される留め具１１の種々の例を示し、中央の各段は、各例の留め具１１ｆ〜１１ｉでパネル部材ａ，ｂの対象線材間を結合した場合の横断面図である。また、左側の２列は、それぞれ、連結される両パネル部材の線材が互いに離れて結合される場合（離間）と、互いに密着（近接）して結合される場合（近接）に縦方向からみた線材断面図（上段）と、留め具１１ｆ，１１ｈで結合した場合の結合部分（下段）を表わす。
【００６３】
図５（２）最左側に示される結合例は、一方のパネル部材ａがＢタイプのメッシュパネル〔図２（１）下段〕を用いている場合に、同パネル部材ａの胴縁内横方向線材ＷＬａｏと他方のパネル部材ｂにおける最外側縦方向線材ＷＨａｏを結合するケース（離間）を表わしている。Ｂタイプのパネル部材における胴縁内の横方向線材に対して他の任意の線材を結合するケースでは、このように、結合される線材の間が離間する。
【００６４】
図５（２）左側から２番目に示される結合例は、図示のものでは、２つのパネル部材ａ，ｂの最外側縦方向線材ＷＨａｏ，ＷＨｂｏ同士を結合する場合（近接）を表わしている。しかしながら、Ａタイプのメッシュパネル〔図２（１）上段〕を用いたパネル部材の胴縁内の横方向線材を結合するケースでも、このよう両パネル部材ａ，ｂの線材同士が密着して結合される。従って、パネル部材にＡタイプのメッシュパネルを用いると、結合する箇所が胴縁であるか端縁であるかを問わず、線材同士を密着して結合することができる。
【００６５】
さて、図５（２）右側最上段の留め具（Ｆ）１１ｆは、鋼鉄製帯材から成るＵ字形の挟持片をボルトとナットで締め付けるようにしたもので、図５（１）の留め具（Ａ）１１ａと同様に、“クリップ”と呼ばれ、対象物を極めて強力に固定することができる。使用に当っては、図５（２）の中央最上段や左側に示すように、Ｕ字形挟持片の間に取付け対象線材を挟み込み、挟持片両端の穴にボルトを挿通させてナットで挟持片を締め付ける。
【００６６】
図５（２）右側第２段の留め具（Ｇ）１１ｇは、図５（１）の留め具（Ｃ）１１ｃと同様の構造をした結合バンドであり、使用方法もこれと同様である。すなわち、図５（２）中央第２段に示すように、バンドで取付け対象線材を巻き込み、バンド挿入口の幅広部分に留め具バンドを他端側から挿入して締め付けた上、バンド位置を幅狭部分側に移す。
【００６７】
図５（２）右側第４段の留め具（Ｄ）１１ｈは、図５（１）の留め具（Ｄ）１１ｄと同様の結合バンド構造であり、使用方法もこれと同様である。従って、使用に当っては、図５（２）の中央第３段や左側に示すように、このバンドで取付け対象線材を巻き込んで、バンド挿入口に留め具バンドを他端側から圧入して締め付ける。
【００６８】
図５（２）右側第５段の留め具（Ｉ）１１ｉは、図５（１）の留め具（Ｅ）１１ｅと同様に、針金のような通常の金属製ワイヤで作製され、使用に当っては、図５（２）中央第４段に示すように、金属製ワイヤで取付け対象ＷＨａｏ，ＷＨｂｏを巻き込んで両端を結ぶ。
【００６９】
〔捕獲の仕組み〕
この発明の一実施例による鳥類捕獲用ケージＣＧは、上面パネル部材１及び前後の斜面パネル部材２，３により、屋根部（ケージの外側からみた場合）又は天井部（ケージの内側からみた場合）が構成され、前面及び後面パネル部材４，５並びに左及び右斜面パネル部材６，７によって側壁が構成される。また、上面パネル部材１で構成される中央屋根１には、カラス等が進入するのに適した大きさを有する第１進入口Ｔ１〜Ｔ３が設けられ、進入口Ｔ１〜Ｔ３の下部周辺には、斜め下に突き出る線材突出部ＷＰ２，ＷＰ３が付設される。さらに、側壁６，７に設けられた第２進入口Ｔ４，Ｔ５には、ハト等が進入するのを容易とし退出するのを難しくした構造のトラップワイヤ（ＷＴ）が取り付けられる。
【００７０】
ここで、中央屋根１は最も低い位置にあり、斜面パネル部材２，３で構成される斜傾天井（屋根）は、中央屋根１がある最低位置から上に向い、前面及び後面パネル部材６，７で構成される側壁部の最も高い位置に至っている。つまり、ケージＣＧの中央屋根１から上の部分は、斜傾天井１により、上に向かって傾斜する閉じた空間となっている。
【００７１】
従って、一旦進入口Ｔ１〜Ｔ５からケージＣＧ内に進入したカラスやハトなど〔場合によってはトビ（鳶）等をも含む〕の各種鳥類は、上に向かって飛び出ようとする習性のために、斜傾（傾斜）した天井構造２，３に誘導されて、上述の閉じた空間に飛び上がるので、中央屋根１の第１進入口Ｔ１〜Ｔ３に寄り付くことはない。また、第２進入口Ｔ４，Ｔ５にはトラップワイヤ機構ＷＴがあるので、結局、ケージＣＧ内に入った鳥は、ケージＣＧ外に退出することができず捕獲されることになる。
【００７２】
この鳥類捕獲用ケージＣＧでは、各進入口Ｔ１〜Ｔ５に更なるトラップ機構が設けられている。図６及び図７は、この発明の一実施例による鳥類捕獲用ケージにおける第１及び第２進入口のトラップ機構の構成例を示す。まず、図６において、（１）は、図１に示される鳥類捕獲用ケージＣＧの屋根の中央部の上面図であり、（２）は、この上面図において、第１進入口Ｔ２を前後に通る線（２）−（２）で切った場合の横断面図である。
【００７３】
図６に示すように、上面パネル部材１により構成される中央屋根（天井）は、カラスの進入に適したサイズ（例えば、縦１５０ｍｍ×横２００ｍｍ）の第１進入口Ｔ１〜Ｔ３を備えている。これに対して、斜傾屋根（天井）を構成する傾斜パネル部材２，３の各横方向線材ＷＬは、上面パネル部材１の胴縁Ｂ１ａ，Ｂ１ｂと結合している傾斜パネル部材（斜傾屋根）２，３の最外側縦方向線材ＷＨｏから、線材突出部ＷＰ２，ＷＰ３が突出している。
【００７４】
つまり、図６（２）に示すように、ケージＣＧの内部からみると、中央屋根１に形成されている第１進入口Ｔ１〜Ｔ３の下部周辺には、斜傾天井２，３の中央側縁部から各進入口Ｔ１〜Ｔ３の中心に向かって線材突出部ＷＰ２，ＷＰ３が斜め下方向に突き出ている。従って、カラスなどの鳥類は、第１進入口Ｔ１〜Ｔ３の周縁部の線材ＷＨ，ＷＬに留まった後、進入口Ｔ１〜Ｔ３からケージＣＧ内に容易に進入することができる。しかしながら、一旦ケージＣＧ内に進入したカラスやハトなどの鳥類は、その習性によって、上述の閉じた空間にしか向かうことができない。また、仮に進入口Ｔ１〜Ｔ３に向かうようなことがあっても、線材突出部ＷＰ２，ＷＰ３によって、第１進入口Ｔ１〜Ｔ３を通って逃げ出すのを阻止することができる。
【００７５】
特に、カラスは、利口ではあるが、ぶら下がるのが苦手であり、足に踏張りが利かないと自在に行動できないという性質がある。これに対して、このケージＣＧでは、上述の斜傾天井構造に加えて、線材突出部ＷＰ２，ＷＰ３は、進入口Ｔ１〜Ｔ３の下部に固定的に設けられ、進入口Ｔ１〜Ｔ３に向かって斜め下に突き出ている。従って、たとえ、カラスが地面から進入口Ｔ１〜Ｔ３に向かって飛び立つようなことがあっても、進入口に向かい斜め下方向に突き出た線材突出部ＷＰ２，ＷＰ３が大きな飛翔障害として機能し、進入口Ｔ１〜Ｔ３から飛び出すことができない。また、仮にカラスが進入口Ｔ１〜Ｔ３の周辺に留まろうとしても、斜め下方向に突き出た線材突出部ＷＰ２，ＷＰ３が飛び立つ足場を与えない。
【００７６】
次に、図７において、（１）及び（２）は、図１に示される鳥類捕獲用ケージＣＧの第２進入口Ｔ５近傍の上面図及び側面図であり、（３）は、この側面図において、第２進入口Ｔ５を上下に通る線（３）−（３）で切った場合の横断面図である。また、図７（４）は、第２進入口Ｔ４，Ｔ５に設けられるトラップワイヤ機構ＷＴの斜視図である。
【００７７】
側面パネル部材６，７により構成される各側壁に設けられた所定サイズ〔例えば、縦（水平方向）５００ｍｍ×横（垂直方向）１５０ｍｍ〕の第２進入口Ｔ４，Ｔ５の下縁を構成する縦方向線材ＷＨには、蝶番などの可動取付け具により、ケージＣＧの外部側に向かって、開閉式板状部材９，１０が取り付けられる。開閉式板状部材９，１０の先端の角部は、破線で示すように、チェーンなどの吊り線により進入口Ｔ４，Ｔ５上部の側壁と結ばれている。また、第２進入口Ｔ４，Ｔ５のケージ内部側には、トラップワイヤ機構ＷＴが設けられる。
【００７８】
開閉式板状部材９，１０は、使用時には、吊り線で水平状態に支持され、ハトなどの鳥類に対して第２進入口Ｔ４，Ｔ５への案内装置として機能する。また、回動可能な板状部材９，１０は、不要時には垂直状態となり、進入口Ｔ４，Ｔ５を閉鎖して鳥類の進入を防止する。なお、ハトなどの中形鳥類のみを捕獲したいときには、メッシュパネルなどで作製した適当なサイズの補助パネルで第１進入口Ｔ１〜Ｔ３を閉鎖する。
【００７９】
トラップワイヤ機構ＷＴは、この例では、５本のトラップ線材Ｗｔとこれらの線材を固定的に連結する水平線材Ｗ１〜Ｗ３から成り、トラップ線材Ｗｔの間隔は、ハトなどの中形鳥類が入り込むことができる大きさに制限し、トラップ線材Ｗｔの相互間及び進入口Ｔ４，Ｔ５の左右端との間を通って中形以上の鳥類が出入りできないようにしている。各トラップ線材Ｗｔは、図７（３），（４）に示すように、ケージ内部に向かって“く”の字状に突き出た支持部と、“く”字状支持部の下部から斜め下に円弧状に突き出たトラップ部で構成される。
【００８０】
従って、ハトなどの鳥類は、第２進入口Ｔ４，Ｔ５から外部に突き出た板状部材９，１０に留まった後、進入口Ｔ４，Ｔ５に設けられたトラップワイヤ機構ＷＴの各トラップ線材Ｗｔ（“く”字状支持部）の間からケージＣＧ内に容易に進入することができる。しかしながら、一旦ケージＣＧ内に進入したハトなどの鳥類は、進入口Ｔ４，Ｔ５に向かうようなことがあっても、各トラップ線材Ｗｔのトラップ部（円弧状部）が斜め下に突き出ているので、第２進入口Ｔ４，Ｔ５を通って逃げ出すことはできない。
【００８１】
〔種々の実施態様〕
以上、この発明の一実施例による鳥類捕獲用ケージについて説明したが、種々の変更が可能である。例えば、実施例では、上面（中央天井）パネル１に胴縁付きメッシュパネルを用いている。しかしながら、実施例のように間口１．５ｍ及び奥行１．８ｍ程度のケージにおいては、天井部の重力は、斜面（傾斜天井）パネル２，３の垂直方向の重力負担により十分支持することができるので、図６（３）に示すように、胴縁のない全面フラットな平メッシュパネルを上面（中央天井）パネル１に用いてもよい。この場合、天井部の取付け手順は、斜面（傾斜天井）パネル２，３を前後面パネル４，５に取り付た後、上面（中央天井）パネル１を取り付けるという容易な方法をとることができる。
【００８２】
また、側壁用パネル部材４〜７を連結する場合、実施例では、前後面パネル４，５の端縁を側面パネル６，７の胴縁（カール）に結合しているが、結合される胴縁と端縁との関係を、実施例とは逆にすることができる。この場合は、側面パネル６，７を矩形にして側面パネルの中間面に上面パネル１や斜面パネル２，３の端部を取り付け、斜面パネル２，３には、片側にのみ胴縁がある〔図３（１），（３）のＥ２ａ，Ｅ３ａの所だけが胴縁になっている〕メッシュパネルを用いる。
【００８３】
さらに、扉パネル部材８は、上述した実施例とは別の方法によって作製・組立てを行ってもよい。例えば、扉パネル部材８には、横方向線材ＷＬｏがない端縁（カール）Ｂ８ａを片方側のみにもち、扉嵌込み部分ＤＲ（間口５９６ｍｍ×高さ１１４４ｍｍ）よりも大きいサイズ（縦８００ｍｍ×横１２００ｍｍ程度）のメッシュパネルを用い、左側面パネル部材６の端縁Ｂ６ａ下部のケージＣＧ前面側にある横方向線材ＷＬｏを、扉の高さに対応するおよそ１２００ｍｍにわたって切除しておき、１２００ｍｍ以上の塩化ビニール製などの合成樹脂製円筒形パイプを用意しておく。
【００８４】
ケージ組立ての際は、まず、左側面パネル部材６と扉パネル部材８の連結作業を最初に行い、続いて、左側面パネル部材６と前面パネル部材４を連結し、更に、右側面パネル部材７、後面パネル部材の順で側壁部を作製する。ここで、最初の面パネル部材６，８との連結作業において、縦横方向線材ＷＬｏを切除した端縁Ｂ６ａの下部に扉パネル部材８の端縁Ｂ８ａを前面パネル側から挿入する。
【００８５】
次に、両端縁Ｂ６ａ，Ｂ８ａ内に合成樹脂製円筒形パイプを横方向（ケージ設置状態では垂直方向）から挿入し、パイプの数箇所には外リング（ワッシャ）を付けて、端縁Ｂ６ａ，Ｂ８ａ内の横方向線材ＷＬｏとパイプとの間に外リングを介在させる。そして、左側面パネル部材６の端縁Ｂ６ａに前面パネル部材４の左側端縁Ｅ４ａを結合して面パネル部材６，４を連結する側壁部作製工程に進む。
【００８６】
この方法で扉パネルを付けたケージでは、パネル部材６，８の両端縁Ｂ６ａ，Ｂ８ａ内に挿入された合成樹脂製円筒形パイプが扉の回転軸と蝶番の役割を果たすので、扉パネル部材８はパイプを回転軸にして円滑に回転でき、出入口（扉嵌込み部分）ＤＲを閉じたときは、前面パネル部材４の出入口周縁部と重なる。従って、扉の開閉が安定した出入口をケージＣＧの前面に設けることができる
【００８７】
第１及び第２進入口（Ｔ１〜Ｔ５）の数は、実施例に限らず、必要に応じて任意に増減することができる。極端な場合は、第２進入口をなくして第１進入口のみとしてもよい。また、第２進入口（Ｔ４，Ｔ５）の取付け箇所は、実施例に限らず、例えば、前面又は後面パネル４，５の中央など、側壁を成す他の任意のパネルにおける任意の箇所とすることができる。さらに、扉（８）の取付け箇所も、実施例に限らず、例えば、前面パネル４の中央や、側壁を成す他の任意のパネル５〜７における任意の箇所としてもよい。
【００８８】
実施例では、１つのパネル部材４〜７で夫々１面分の面パネルを形成しているが、複数のパネル部材をつなぎ合わせて１面分の面パネルを構成してもよい。この場合も、２つのパネル部材をつなぎ合わせるのに、図５（１）に示すように、一方のパネル部材の胴縁と他方のパネル部材の端縁線材を結合する方法が基本的に適用される。
【００８９】
連結されたりつなぎ合わせられる２つのパネル部材の端部間には、場合によっては、両パネル部材の胴縁同士が隣接して連結される関係になってもよい。この場合、図５（１）又は図５（２）最左列に準じた態様で、胴縁と胴縁内横方向線材（ＷＬｏ）又は胴縁内横方向線材（ＷＬｏ）同士を留め具で結合する。
【００９０】
そして、何れの実施態様を採用する場合にも、中央天井パネル（１）の第１進入口Ｔ１〜Ｔ３に対応する左右方向の位置では、両傾斜天井用面パネル（２，３）の櫛歯状端縁が中央天井パネル（１）の端部と結合し、中央天井パネル（１）の第１進入口Ｔ１〜Ｔ３の下部にの線材突出部（ＷＰ２，ＷＰ３）が配設されるように設計する必要がある。
【００９１】
側壁用パネル４〜７による側壁部については、図１〜図４の例では、前後面パネル４，５と側面パネル６，７とが端縁と胴縁（カール）で結合して胴縁に支柱の機能を持たせるようにしているが、別途用意されたパイプを支柱に用いて、このパイプ支柱に全側壁用パネル４〜７の端縁を結合する構成としてもよい。図８は、このような構成を採用する場合の鳥類捕獲用ケージの一構成例を表わす全体斜視図である。
【００９２】
図８の例では、側壁用パネル４〜７には、全て、上下両端に胴縁を有するメッシュパネルが用いられ、各パネル４〜７の端縁は、図５で説明した留め具を用いて、４隅に直立するパイプＰＹに結合される。各パイプＰＹには、例えば、樹脂塗装が施されたスチール製の円筒状パイプが用いられるので、ケージの強度を高め而も美観をよくすることができ、市販のフェンス支持用パイプをパイプＰＹに用いることでコストの上昇を抑えることができる。各側壁用パネル４〜７の上端の胴縁はケージの梁として機能し、下部の胴縁はケージの下端を補強する。
【００９３】
なお、側壁の水平側面パネル６，７の上端の胴縁は、斜面パネル部材２，３の傾斜に沿って斜めに形成される部分と、上面パネル部材１に沿う水平部分から成る。この例では、さらに、右側面パネル７の中央部に扉パネル８を嵌め込むようにしており、これに合わせて、上下に胴縁が付いた３枚のメッシュパネルで右側面パネル７が構成される。このため、第２進入口Ｔ５が設けられた中央パネルを挟んで２枚のメッシュパネルが位置し、両メッシュパネルの各中央側に設けられた支柱用パイプＰＹを介して３枚のメッシュパネルが相互に結合される。
【００９４】
扉パネル８は、この支柱用パイプＰＹの一方を扉の支軸にして回動自在に取り付けられる。この例では、扉パネル８の強度を上げるために、扉パネル８には、上下に胴縁が付いたメッシュパネルの左右にパイプＰＹを取り付けたものが用いられているが、図１や図３（４）のようにパイプ無しでもよいし、さらに、扉パネル８の左側に形成された胴縁を支軸パイプＰＹに巻き付くように取り付けて、支軸パイプＰＹが扉パネル８の回転軸となるようにしてもよい。
【００９５】
この発明においては、低位置にある水平な中央天井用面パネルと傾斜天井用面パネルにより低い中央に向けて勾配を付けた天井構造を利用して、鳥類を中央天井の近傍には近づけないようにしているので、中央天井近傍に位置する第１進入口及び第２進入口のうち、場合によっては、両方の進入口を用いてもよいし、何れか一方の進入口だけを用いてもよい。
【００９６】
さて、第２進入口Ｔ４，Ｔ５に設けられるトラップ機構については、図７の例では、主としてハトを進入させ捕獲するのに用いているが、カラスの進入及び捕獲に利用することができる。図９は、このような利用に適した第２進入口のトラップ機構の他の構成例を示し、図９（１）は、図７（３）と同様に、トラップ機構を含むケージ部分の横断面図であり、図９（２）は、図７（４）と同様に、このトラップ機構自体をケージの外側から斜め横方向に見た図である。
【００９７】
図７のトラップ機構ＷＴでは、トラップ線材Ｗｔの“く”字状支持部の下部に連結される２つの水平線材の間隔と、各トラップ線材Ｗｔの配置間隔とを所定サイズ（例えば、何れも１００ｍｍ）にして、“く”字状支持部の下部と２水平線材とで形成される複数（例えば、４つ）の小口を所定サイズ（例えば、１００ｍｍ×１００ｍｍ）にすることにより、主としてハトに対して、小口から自由に進入することができるが、一旦進入した後は、各小口の両側に設けられたトラップ線材Ｗｔにより脱出しないように設計していた。
【００９８】
これに対して、図９のトラップ機構ＷＴでは、上述の２水平線材間の間隔及びトラップ線材Ｗｔの配置間隔は、カラスの進入及び捕獲に適したサイズに設定し、例えば、１５０ｍｍとされ、これに応じて、第２進入口Ｔ４，Ｔ５には、例えば、１５０ｍｍ×１５０ｍｍのサイズをもつ小口が複数個（例えば、４個）形成される。また、力のあるカラスの脱出防止のために、水平線材を追加して機構を補強する。
【００９９】
さらに、このトラップ機構ＷＴでは、図９（１），（２）に示すように、各小口の上下に、例えば、それぞれ、２００〜２５０ｍｍ，２００〜２５０ｍｍ程度の長さをもつ突出線材Ｗ４，Ｗ５を斜め下向きに付設する。このような突出線材Ｗ４，Ｗ５の配置位置と向きによって、入り易さは変えずに、突出線材Ｗ４，Ｗ５とトラップ線材Ｗｔのトラップ部（円弧状部）との間隔を半減させる（例えば、７５ｍｍ）と共に、利口なカラスでも小口に向かわせない出にくい構造が得られ、上側の突出線材Ｗ４によって、カラスがトラップ線材Ｗｔの上乃至横方向から脱出しようとするのを防ぎ、上側の突出線材Ｗ５によって下乃至横方向からの脱出を防止することができる。
【０１００】
このように、図９のトラップ機構ＷＴにより、カラスなどの比較的大形の鳥類を効果的に捕獲することができる。従って、第１進入口Ｔ１〜Ｔ３を設けなくても、カラスなどの比較的大形の鳥類に専用のケージを得ることができる。また、例えば、図１〜図４や図８のように第１及び第２進入口の両者を進入口に用いる場合、第１進入口Ｔ１〜Ｔ３だけでなく、第２進入口Ｔ４，Ｔ５もカラス等の進入及び捕獲に寄与するので、小さいケージサイズに拘わらず効率的にカラス等を捕獲することができる。
【０１０１】
さらに、図７及び図９のトラップ機構ＷＴは、所定の留め具を用いて簡単に第２進入口Ｔ４，Ｔ５への取付け又は取外しができる構造にしておくことにより、捕獲しようとする鳥類に応じたケージを簡単に提供することができる。例えば、ハトとカラスを捕獲したいときは、第１進入口Ｔ１〜Ｔ３を併設して第２進入口のトラップ機構ＷＴを図９から図７のものに取り換える。また、ハトだけを捕獲するときは、図７のトラップ機構ＷＴだけを用いる。この場合、第１進入口Ｔ１〜Ｔ３が併設されたケージでは、第１進入口Ｔ１〜Ｔ３をメッシュパネル等で閉鎖する。
【０１０２】
【発明の効果】
以上説明したように、この発明では、鳥類捕獲用ケージを構成する面パネルにメッシュパネル（樹脂塗装の特殊ハイテンション線材製溶接金網）を使用しており、クリップなどの留め具にてメッシュパネル製面パネルを互いに連結して篭のように箱状に組み立てる。この際、天井部は、一対の側壁用面パネルの上端から、他の一対の側壁用面パネルにてこの上端より低い位置に水平に支持されている中央天井用面パネルに傾斜天井用面パネルが傾斜して設けられる。このように、天井部が中央に向けて勾配を付けられていると、カラスやハトなどの鳥類は、傾斜天井用面パネルの勾配のある高い方に飛び上がる習性により、中央天井の近傍には近づくことはなく、従って、中央天井用面パネルの中央に設けられた第１進入口や、側壁用面パネルの中央上部に設けられた第２進入口には、寄りつくことができない。また、仮に鳥類が第１又は第２進入口に寄りつくことができたとしても、第１進入口に向けて傾斜天井用面パネルから線材が突出しており、また、第２進入口にはトラップワイヤ機構が設けられているので、これらの鳥類は第１乃至第２進入口から脱出することができない。従って、この発明によると、簡単なケージ構造にも拘わらず、カラスやハトなどの効果的に鳥類を捕獲することができる。
【０１０３】
また、この発明によると、側壁用面パネルにトラップワイヤ機構を内部に備えた第２進入口が設けられるので、ハトなどの中形の鳥類やカラスなどの大形の鳥類に対して、ケージ内からの飛出しを防止することができ、特に、このトラップワイヤ機構には、内部に向かって斜め下に突出する複数の突出線材を設けることで、カラスなどの比較的大形の鳥類に対して、第２進入口から自由に進入させることができ、一旦ケージ内部に進入すれば、この突出線材の脱出防止機能によって確実にケージ内に捕獲しておくことができる。
【０１０４】
また、この発明によると、面パネルは、全て、胴縁とメッシュの一体構造によるメッシュパネルで作製されようになっているので、各面パネル部材を梱包して容易に運搬することができ、ケージ設置現場において、適宜の留め具により各面パネル部材を簡単に組み立てて強力な構造のケージを作製することができる。この発明によるケージは、強度に加えて極めて軽量であり底部がないので、組立て後でも容易に移動することができる。また、ケージの下部底面が開放していることで、ゴミ箱など各種の箱状物上を覆うように取付けることができ、低価格で製作することができるという点も大きな特典である。
【０１０５】
また、この発明によると、従来のフレームを用いる鳥舎ケージに比較して、作業工程が簡略化され、極めて低コストで作製することができる。また、メッシュパネルは、ハイテンションの鉄線に樹脂塗装が施されているので、力学的な強度や環境に対する耐性において優れている上、色彩が豊富なので、任意のカラフルなケージが得られ、公園や工場において違和感なく利用することができる。
【図面の簡単な説明】
【図１】図１は、この発明の一実施例による鳥類捕獲用ケージを表わす全体斜視図である。
【図２】図２は、鳥類捕獲用ケージの組立てに用いられるメッシュパネルを説明するための図である。
【図３】図３は、この発明の一実施例による鳥類捕獲用ケージを構成する各パネル部材の構成例の一部である。
【図４】図４は、この発明の一実施例による鳥類捕獲用ケージを構成する各パネル部材の構成例の他部である。
【図５】図５は、パネル部材間の結合態様を説明するための図である。
【図６】図６は、この発明の一実施例による第１進入口のトラップ機構の構成例である。
【図７】図７は、この発明の一実施例による第２進入口のトラップ機構の構成例である。
【図８】図８は、この発明の一実施例による鳥類捕獲用ケージの他の構成例を表わす全体斜視図である。
【図９】図９は、この発明の一実施例による他の第２進入口のトラップ機構の構成例である。
【符号の説明】
１　第１進入口Ｔ１〜Ｔ３を有する上面パネル部材（中央天井又は屋根）、
２，３　前及び後斜面パネル部材（傾斜天井又は屋根）、
４，５　前面及び後面パネル部材、
６，７　第２進入口Ｔ４，Ｔ５を有する左及び右側面パネル部材、
８　扉パネル部材、
９，１０　開閉式板状部材。
Ｂａ，Ｂｂ；Ｂ１ａ，Ｂ１ｂ；Ｂ２ａ，Ｂ２ｂ：…；Ｂ８ａ，Ｂ８ｂ　胴縁、
Ｅ１ａ，Ｅ１ｂ；Ｅ２ａ，Ｅ２ｂ；…；Ｅ８ａ，Ｅ８ｂ　端縁（Ｅａ，Ｅｂ）、
ＷＨ，ＷＨａ，ＷＨｂ　縦方向線材（高張力鉄線）、
ＷＨｏ，ＷＨａｏ，ＷＨｂｏ　最外側縦方向（斜め方向を含む）線材、
ＷＬ，ＷＬｂ　縦及び横方向線材（高張力鉄線）、
ＷＬａｏ　胴縁内の横方向線材（ＷＬｏ）、
ＭＳ　メッシュ、
Ｈｍ，Ｌｍ　メッシュの縦及び横サイズ、
Ｈｐ，Ｌｐ　メッシュパネルの縦及び横サイズ、
ＷＰ２，ＷＰ３　線材突出部、
Ｓｔ　縦方向、斜め方向又は横方向線材の追加による補強部、
ＤＲ　扉嵌込み部分、
１１；１１ａ〜１１ｉ　留め具、
ＷＴ　水平線材Ｗ１〜Ｗ３及びトラップ線材Ｗｔからなるトラップワイヤ機構、
ＰＹ　パイプ、
Ｗ４，Ｗ５　（カラス用）突出線材。
【図１】
2004097001.tif 000003
【図２】
2004097001.tif 000004
【図３】
2004097001.tif 000005
【図４】
2004097001.tif 000006
【図５】
2004097001.tif 000007
【図６】
2004097001.tif 000008
【図７】
2004097001.tif 000009
【図８】
2004097001.tif 000010
【図９】
2004097001.tif 000011